(57)【要約】      （修正有）【課題】少量の買い物の際に袋が余り過ぎて格好が悪くなることを防ぎ、多量の買い物をした場合に容量が足りなくなることを防ぐエコバッグを提供する。【解決手段】エコバッグ１００は、袋本体１の表裏の表面であってその袋本体１の外形に相似形状で線ファスナー２が設けられる。線ファスナー２を閉じた状態では、袋本体１の内側の側部に小さい袋部が形成される。小さい袋部は、開口部３の両側に小さい袋部の開口が形成される。小さい袋部の開口からは、細長いもの、例えば折り畳み傘や水筒を挿入することでバッグ側部に保持できる。線ファスナー２を開くと、袋本体１が拡張される。これにより容量が大きくなって多くの荷物を入れることができる。【選択図】図１
0003230896.tif 000002
【実用新案登録請求の範囲】
【請求項１】
上部に開口を有する袋本体と、
当該袋本体の外形に略相似する形状であって前記袋本体の表裏面に配設された線ファスナーと、
を有し、前記袋本体の表裏面に配設した線ファスナー同士が接続可能となっていることを特徴とするバッグ。
【請求項２】
前記線ファスナーは、前記袋本体の表裏面に少なくとも二重に設けられ、第一の線ファスナーの内側に第二の線ファスナーが配置されていることを特徴とする請求項１に記載のバッグ。
【考案の詳細な説明】
【技術分野】
【０００１】
本考案は、持ち運びが簡単で適宜容量を拡張できるバッグに関するものである。
【背景技術】
【０００２】
従来から特許文献１に記載されているような所謂エコバッグ（登録商標、以下同じ）が知られている。このエコバッグは、袋内に設けられているインナーポケットを引き出し、持ち手を袋内に入れて全体を折り畳み、前記インナーポケットと袋に設けたホックで固定するものである。
【先行技術文献】
【特許文献】
【０００３】
【特許文献１】実用新案登録第３２２６６７４号公報
【考案の概要】
【考案が解決しようとする課題】
【０００４】
しかしながら、上記従来のエコバッグでは、大きなエコバッグであると少量の買い物の際に袋が余り過ぎて格好が悪く、小さいエコバッグであると多量の買い物をした場合に容量が足りなくなるという問題点があった。本考案は、係る問題点を解決するためになされたものである。
【課題を解決するための手段】
【０００５】
本考案に係るバッグは、上部に開口を有する袋本体と、当該袋本体の外形に略相似する形状であって前記袋本体の表裏面に配設された線ファスナーとを有し、前記袋本体の表裏面に配設した線ファスナー同士が接続可能となっていることを特徴とするものである。
【０００６】
前記線ファスナーは、前記袋本体の表裏面に少なくとも二重に設けられ、第一の線ファスナーの内側に第二の線ファスナーが配置されるようにしても良い。
【図面の簡単な説明】
【０００７】
【図１】本考案の実施の形態１に係るエコバッグを示す説明図である。
【図２】本考案の実施の形態１に係るエコバッグを示す説明図である。
【図３】本考案の実施の形態１に係るエコバッグを示す説明図である。
【図４】本考案の実施の形態１に係るエコバッグの変形状態を示す説明図である。
【図５】本考案の実施の形態１に係るエコバッグの変形状態を示す説明図である。
【図６】本考案の実施の形態１に係るエコバッグの変形状態を示す説明図である。
【図７】本考案の実施の形態１に係るエコバッグの別の使用形態を示す説明図である。
【図８】本考案の実施の形態１に係るエコバッグの別の使用形態を示す説明図である。
【図９】本考案の実施の形態１に係るエコバッグの別の使用形態を示す説明図である。
【図１０】本考案の実施の形態２に係るエコバッグを示す説明図である。
【図１１】本考案の実施の形態２に係るエコバッグを示す説明図である。
【図１２】本考案の実施の形態２に係るエコバッグを示す説明図である。
【図１３】本考案の実施の形態２に係るエコバッグを示す説明図である。
【考案を実施するための形態】
【０００８】
（実施の形態１）
図１乃至図３は、本考案の実施の形態１に係るエコバッグを示す説明図であり、図１は平面図、図２は上面図、図３は側面図である。このエコバッグ１００は、ポリエステルやコットン等の布で構成した袋本体１と、袋本体１の開口部３に設けた持ち手４とを有する。袋本体１の表裏面であってその袋本体１の外形に相似形状で線ファスナー２が設けられる。外形のラインから内側に相似形状のラインが線ファスナー２により形成されるところ、この線ファスナー２の位置は任意であり、袋本体１の拡張の度合いに応じて適宜設定するものとする。袋本体１の少なくとも外側面には防水処理が施される。
【０００９】
図４乃至図６に示すように、線ファスナー２を閉じた状態では、袋本体１の内側の側部に小さい袋部５が形成される。この袋部５は、開口部３の両側にも当該小さい袋部５の開口６が形成される。この開口６からは、細長いもの、例えば折り畳み傘や水筒を挿入することでバッグ側部に保持でき且つ袋本体１の形状が固定されやすくなる。また、傘や水筒のような水分を伴う可能性がある荷物を入れるのにちょうど良い。これは、袋本体１の外側に防水加工が施されているため、小さい袋部５の内側は防水された状態になるためである。これにより、袋本体１の内部の荷物が濡れることがない。
【００１０】
また、底の部分にも収納スペース７が生じるため、当該収納スペース７にも荷物を収納できる。この収納スペース７は、線ファスナー２を半閉じ状態にした状態で荷物を差し込めば容易に収納ができるうえ、全てを閉じると収納した荷物が外に出にくい。更に、底に位置することから保冷剤の収納にも使用できる。上記同様、袋本体１の外面が防水されているので袋本体１の内部が濡れることがない。
【００１１】
線ファスナー２を開くと、袋本体１が拡張される（図1乃至図３に示した状態）。これにより容量が大きくなって多くの荷物を入れることができる。線ファスナー２は袋本体１の外側面に位置することになるが、遠目ではＵ字形状の模様に見える。
【００１２】
また、図７及び図８に示すように、線ファスナー２が外側面に位置することで、複数の袋本体１を連結することも可能である。本来、当該線ファスナー２は袋本体１の容量の変更に使用するものであるが、エコバッグ１００の容量を２倍以上にしたい場合、袋本体１を隣接させてスライダ側の線ファスナー２と対となる線ファスナー２とをかみ合わせて連結する。この状態で各袋本体１で２つの収納部と、袋本体１と袋本体１との間に形成される（線ファスナー２の部分が側部になる）小さめの１つの収納部とで、合計３つの収納部が形成される。
【００１３】
つまり、線ファスナー２を外側面に設けて容量を拡張する構造の場合、第一に、側部に小さい袋部５を形成でき、第二に、簡単に複数の袋本体１同士を連結することもできる。更に、外側面に図９に示すような布材８を準備し、容量を拡張した際に外側面に位置する線ファスナー２により前記布材８を取り付け、ポケットを形成することもできる。
【００１４】
なお、袋本体１の素材に限定はないが、薄地のポリエステル素材が好適である。防水処理は内側に設けても良い。
【００１５】
以上のエコバッグ１００によれば、線ファスナー２を用いて袋の収納容量を簡単に変更できるうえ、閉じた状態では収納部分を袋本体１の布地で区分けできる。このため、荷物に適した大きさにできるので荷物収納時の見た目が良い。
【００１６】
（実施の形態２）
図１０乃至図１３は、本考案の実施の形態２に係るエコバッグを示す説明図である。このエコバッグ２００は、線ファスナーを二段に設けた点に特徴がある。その他の構成は実施の形態１に係るエコバッグ１００と略同様である。第一の線ファスナー２１は、上記実施の形態１の線ファスナー２に相当すると共に当該袋本体１と略相似形に設けられ、第二の線ファスナー２２は、袋本体１と略相似形に設けられると共に前記第一の線ファスナー２１のより内側に配置される。
【００１７】
第一の線ファスナー２１を閉じた場合、上記実施の形態１と同様の作用・効果を奏するに至る。第二の線ファスナー２２を閉じた場合、第一の線ファスナー２１よりも内側で閉じることになるので、袋本体１の容量が更に小さくなると共に、開口部３の両側に更に大きな袋部５１が形成されると共に上方の開口が大きくなる。このため、さらに大きな荷物を収納できる。サイズの大きなペットボトル等も収納できるようになる。更に、底の部分の収納スペース７１も十分に確保できるので、当該底の部分に長方形で長細いタッパーを収納することもできる。
【００１８】
係る二重の線ファスナー２１，２２の構成であっても袋本体１同士を接続することができる。その場合、第一の線ファスナー２１同士を用いて袋本体１を接続しても良いし、第二の線ファスナー２２同士を用いて袋本体１を接続しても良い。
【００１９】
更に、袋本体１の外側面の一方には、袋本体１の全体を折り畳んで収納するポケット３０を設けても良い。袋本体１をポケット３０の端縁を基準にして折り畳み、最後にポケット３０と共に全体を裏返し、当該ポケット３０内に袋本体１を収納する。必要によりホックを設けて閉じる構成にしても良い。また、図示しないが、袋本体１の裏側に内ポケットを設けても良い。
【００２０】
また、上記実施の形態２では、第一の線ファスナー２１と第二の線ファスナー２２の二重構造としたが、三重構造以上にしても良い（図示省略）。なお、上記実施の形態１及び２の線ファスナーには、テープに歯状のエレメントを多数配置してスライダで開閉するものの他、面ファスナーを長細く成形したものも含まれる。
【符号の説明】
【００２１】
１００  エコバッグ
１  袋本体
２  線ファスナー
３  開口部
４  持ち手
５  袋部
６  開口
【図１】
0003230896.tif 000003
【図２】
0003230896.tif 000004
【図３】
0003230896.tif 000005
【図４】
0003230896.tif 000006
【図５】
0003230896.tif 000007
【図６】
0003230896.tif 000008
【図７】
0003230896.tif 000009
【図８】
0003230896.tif 000010
【図９】
0003230896.tif 000011
【図１０】
0003230896.tif 000012
【図１１】
0003230896.tif 000013
【図１２】
0003230896.tif 000014
【図１３】
0003230896.tif 000015